(57)【特許請求の範囲】
【請求項１】
建物の養生装置であって、
前記建物の所定階層の外周を覆うように設置される養生支持部材と、該養生支持部材の外面を覆うように設けられる養生シートとを備え、
前記養生支持部材は、横方向に並ぶように分割された複数のユニットを連結して構成されるとともに、各ユニットが独立して前記建物の外面に沿って下降又は上昇の少なくとも一方が可能に構成され、かつ、各ユニットが前記建物の外面に固定可能に構成され、
前記養生支持部材は、中央に設けられる従動トラス構造体と、該従動トラス構造体の両外側にそれぞれ設けられるとともに、該従動トラス構造体に対して相対的に下降又は上昇の少なくとも一方が可能な駆動トラス構造体と、各駆動トラス構造体の外側にそれぞれ設けられるとともに、各駆動トラス構造体に対して相対的に下降又は上昇の少なくとも一方が可能な端部トラス構造体の５つのユニットに分割されていることを特徴とする養生装置。
【請求項２】
前記従動トラス構造体、前記駆動トラス構造体、及び前記端部トラス構造体は、直方体状をなし、前記従動トラス構造体の両側面と前記各駆動トラス構造体の側面との間、各駆動トラス構造体の側面と前記各端部トラス構造体の側面との間に、各トラス構造体を下降又は上昇の少なくとも一方をさせる駆動機構と、各トラス構造体を下降又は上昇の少なくとも一方を可能に支持する支持機構が設けられていることを特徴とする請求項１に記載の養生装置。
【請求項３】
前記駆動機構は、隣接する２つの前記トラス構造体の何れか一方の側面に設けられる駆動源と、隣接する２つの前記トラス構造体の側面間に設けられて、前記駆動源の駆動力を相手方トラス構造体に伝達させる動力伝達手段とから構成されていることを特徴とする請求項２に記載の養生装置。
【請求項４】
前記動力伝達手段は、前記駆動源の駆動軸に取り付けられるピニオンギアと、隣接する２つの前記トラス構造体の何れか他方の側面に、該トラス構造体の全高に沿うように設けられるとともに、前記ピニオンギアと相互に噛合するラックギアとから構成されていることを特徴とする請求項３に記載の養生装置。
【請求項５】
前記支持機構は、隣接する２つの前記トラス構造体の何れか一方の側面に、該トラス構造体の全高に沿うように設けられるガイドレールと、隣接する２つの前記トラス構造体の何れか他方の側面に回転可能に設けられるとともに、前記ガイドレールに沿って転動可能なガイドローラとから構成されていることを特徴とする請求項２〜４の何れか１項に記載の養生装置。
【請求項６】
請求項１〜５の何れか１項に記載の養生装置を用いた養生方法であって、
前記建物の所定階層の外周を覆うように前記養生支持部材を設置して、前記養生支持部材の各ユニットを前記建物の外面に固定するとともに、前記養生支持部材の外面を覆うように前記養生シートを設置し、この状態で前記建物の所定階層の工事を行い、
前記建物の所定階層の工事の完了後に、前記養生支持部材の何れか一のユニットを前記建物の外面から切り離して、該ユニットを所定階層分下降又は上昇の何れか一方をさせて、該ユニットを前記建物の外面に固定することを、各ユニットに対して順次行い、このようなことを、前記建物の工事に進捗に追従して順次繰り返し行うことを特徴とする養生方法。
【発明の詳細な説明】
【技術分野】
【０００１】
本発明は、建物の養生装置及び養生方法に関し、特に、建物の建築や解体の工事を行う際に、粉塵等が周囲に飛散するのを防止するのに好適な養生装置及び養生方法に関する。
【背景技術】
【０００２】
一般に、建物の建築や解体の工事を行う場合には、建物の周囲を覆うように養生装置（養生足場及び養生シート）を設置し、建物の建築、解体の際に発生する粉塵等が周囲に飛散するのを防止するとともに、作業者の安全を確保している。
【０００３】
例えば、建物が中・低層の場合には、地上から建物の施工階までの全周を覆うように固定式の養生装置を設置し、建物が高層の場合には、建物の最上階から下方の数階までの周囲を覆うように昇降式の養生装置を設置している。
【０００４】
ところで、固定式の養生装置は、地上から建物の施工階までの全周を覆うように養生装置を設置する必要があるために、養生足場及び養生シートの使用量が多くなり、設備費が高くつく。また、建物の建築、解体の進捗に追従して、養生装置を盛り替える場合に、作業者が手作業で養生装置の解体、組み立てを行う必要があるため、養生装置の盛り替えに時間と手間がかかる。さらに、地上から建物の施工階までの全周を養生装置で覆うため、建物の建築、解体が完了して、養生装置を撤去するまでの間、建物の下部の工事や、建物の下部のスペースを利用した各種の作業を行うことができない。
【０００５】
一方、昇降式の養生装置は、建物の下部の周囲を覆うことがないので、養生装置を設置したままの状態で建物の下部の工事や、建物の下部のスペースを利用した各種の作業を行うことができる。また、養生装置を盛り替える場合には、養生装置を機械的に昇降させることができるので、作業者が手作業で養生装置を解体、組み立てして盛り替える必要はなく、養生装置の盛り替えに要する時間と手間を削減することができる。
【０００６】
昇降式の養生装置の一例が特許文献１に記載されている。この養生装置（スライド上昇吊り足場）は、Ｈ型鋼フレームと、Ｈ型鋼フレームの下端部の水平なブラケットの上部に設置されたボックス型のトラス構造体と、トラス構造体の上部に複数段に組み立てられた枠組み足場と、構造物躯体の外面に予め取り付けられた先行受け金物とからなるものであって、Ｈ型鋼フレームのフランジ部分が先行受け金物によって上昇スライド可能に案内され、かつ上昇位置に位置決め固定されるように構成したものである。
【先行技術文献】
【特許文献】
【０００７】
【特許文献１】特開平１１−３４３７２９号公報
【発明の概要】
【発明が解決しようとする課題】
【０００８】
しかし、特許文献１に記載の養生装置（スライド上昇吊り足場）は、躯体工事の進捗に追従して現場に設置されたクレーン等を用いて吊り上げることにより、順次盛り替えるようになっているため、スライド上昇吊り足場の盛り替えが完了するまでの間、クレーン等を他の工事に使用することができない。
【０００９】
本発明は、上記のような従来の問題に鑑みなされたものであって、クレーン等を使用することなく、盛り替えることができるとともに、盛り替えに要する時間と手間を大幅に削減することができる養生装置及び養生方法を提供することを目的とする。
【課題を解決するための手段】
【００１０】
上記のような課題を解決するために、本発明は、以下のような手段を採用している。
すなわち、本発明は、建物の養生装置であって、前記建物の所定階層の外周を覆うように設置される養生支持部材と、該養生支持部材の外面を覆うように設けられる養生シートとを備え、前記養生支持部材は、横方向に並ぶように分割された複数のユニットを連結して構成されるとともに、各ユニットが独立して前記建物の外面に沿って下降又は上昇の少なくとも一方が可能に構成され、かつ、各ユニットが前記建物の外面に固定可能に構成され、前記養生支持部材は、中央に設けられる従動トラス構造体と、該従動トラス構造体の両外側にそれぞれ設けられるとともに、該従動トラス構造体に対して相対的に下降又は上昇の少なくとも一方が可能な駆動トラス構造体と、各駆動トラス構造体の外側にそれぞれ設けられるとともに、各駆動トラス構造体に対して相対的に下降又は上昇の少なくとも一方が可能な端部トラス構造体の５つのユニットに分割されていることを特徴とする。
【００１１】
本発明の養生装置によれば、建物の所定階層の外周を覆うように養生支持部材を設置し、養生支持部材の外面を覆うように養生シートを設置することにより、建物の所定階層の外周を覆うように養生装置を設置することができる。従って、地上から建物の施工階までの全周を覆う必要がなくなるので、養生支持部材及び養生シートの使用量を少なくすることができ、設備費を削減することができる。
また、建物の地上の部分にスペースを確保することができるので、建物の地上の部分の工事を行うことができるとともに、地上の部分のスペースを利用して各種の工事を行うことができる。
さらに、養生支持部材の各ユニットを独立して下降又は上昇の少なくとも何れか一方をさせることができるので、養生装置の盛り替えにクレーンを使用する必要がなく、クレーンを建物の他の工事に使用することができる。
さらに、養生装置の盛り替えの際に、養生支持部材を解体、組み立てる必要がないので、養生装置の盛り替えに要する時間と手間を大幅に削減することができる。
【００１３】
また、養生支持部材の従動トラス構造体に対して駆動トラス構造体を相対的に下降又は上昇の少なくとも何れか一方をさせることができ、駆動トラス構造体に対して端部トラス構造体を相対的に下降又は上昇の少なくとも何れか一方をさせることができる。
【００１４】
また、本発明において、前記従動トラス構造体、前記駆動トラス構造体、及び前記端部トラス構造体は、直方体状をなし、前記従動トラス構造体の両側面と前記各駆動トラス構造体の側面との間、各駆動トラス構造体の側面と前記各端部トラス構造体の側面との間に、各トラス構造体を下降又は上昇の少なくとも一方をさせる駆動機構と、各トラス構造体を下降又は上昇の少なくとも一方を可能に支持する支持機構が設けられていることとしてもよい。
【００１５】
本発明の養生装置によれば、駆動機構により各トラス構造体を下降又は上昇の少なくとも何れか一方をさせることができるとともに、各トラス構造体を下降又は上昇の少なくとも何れか一方をさせる際に、支持機構によって各トラス構造体を支持することができる。
また、駆動機構及び支持機構は、各トラス構造体の側面側に設けられているので、養生支持部材と建物との間の間隔を狭くすることができ、養生装置を利用して建物の各種の工事を効率よく行うことができる。
【００１６】
また、本発明において、前記駆動機構は、隣接する２つの前記トラス構造体の何れか一方の側面に設けられる駆動源と、隣接する２つの前記トラス構造体の側面間に設けられて、前記駆動源の駆動力を相手方トラス構造体に伝達させる動力伝達手段とから構成されていることとしてもよい。
【００１７】
本発明の養生装置によれば、駆動源を作動させることにより、駆動源の駆動力が動力伝達手段を介して相手方トラス構造体に伝達され、隣接する２つのトラス構造体の一方を他方に対して相対的に下降又は上昇の少なくとも一方をさせることができる。
【００１８】
また、本発明において、前記動力伝達手段は、前記駆動源の駆動軸に取り付けられるピニオンギアと、隣接する２つの前記トラス構造体の何れか他方の側面に、該トラス構造体の全高に沿うように設けられるとともに、前記ピニオンギアと相互に噛合するラックギアとから構成されていることとしてもよい。
【００１９】
本発明の養生装置によれば、駆動源を作動させて、駆動源のピニオンギアをラックギアに沿って走行させることにより、各トラス構造体を下降又は上昇の少なくとも何れか一方させることができる。
【００２０】
また、本発明において、前記支持機構は、隣接する２つの前記トラス構造体の何れか一方の側面に、該トラス構造体の全高に沿うように設けられるガイドレールと、隣接する２つの前記トラス構造体の何れか他方の側面に回転可能に設けられるとともに、前記ガイドレールに沿って転動可能なガイドローラとから構成されていることとしてもよい。
【００２１】
本発明の養生装置によれば、支持機構のガイドレールとガイドローラとにより、各トラス構造体を下降又は上昇の少なくとも何れか一方を可能に支持することができる。
【００２２】
また、本発明は、請求項１〜５の何れか１項に記載の養生装置を用いた養生方法であって、前記建物の所定階層の外周を覆うように前記養生支持部材を設置して、前記養生支持部材の各ユニットを前記建物の外面に固定するとともに、前記養生支持部材の外面を覆うように前記養生シートを設置し、この状態で前記建物の所定階層の工事を行い、前記建物の所定階層の工事の完了後に、前記養生支持部材の何れか一のユニットを前記建物の外面から切り離して、該ユニットを所定階層分下降又は上昇の何れか一方をさせて、該ユニットを前記建物の外面に固定することを、各ユニットに対して順次行い、このようなことを、前記建物の工事に進捗に追従して順次繰り返し行うことを特徴とする。
【発明の効果】
【００２３】
以上、説明したように、本発明の養生装置及び養生方法によれば、クレーンを用いることなく盛り替えることができる。また、盛り替えの際に解体、組み立てする必要がないので、盛り替えに要する時間と手間を削減することができる。
【図面の簡単な説明】
【００２４】
【図１】本発明による養生装置の一実施の形態を示した正面図である。
【図２】図１の右側面図である。
【図３】図１の養生装置の駆動機構、動力伝達手段、支持機構を示した正面図である。
【図４】図３の平面図である。
【図５】図３の右側面図である。
【図６】図３の左側面図である。
【図７】本発明による養生方法の一実施の形態を示した説明図であって、養生装置を建物の所定階層に設置した状態を示した説明図である。
【図８】第１の駆動トラス構造体を下降させた状態を示した説明図である。
【図９】第１の端部トラス構造体を下降させた状態を示した説明図である。
【図１０】第２の駆動トラス構造体を下降させた状態を示した説明図である。
【図１１】第２の端部トラス構造体を下降させた状態を示した説明図である。
【図１２】従動トラス構造体を下降させた状態を示した説明図である。
【発明を実施するための形態】
【００２５】
以下、図面を参照しながら本発明の実施の形態について説明する。
図１〜図６には、本発明による養生装置の一実施の形態が示されている。本実施の形態の養生装置１及び養生方法は、建物３０の建築又は解体の際に発生する粉塵等が建物３０の周囲に飛散するのを防止するためのものであって、本実施の形態においては建物３０の解体に適用している。
【００２６】
本実施の形態の養生装置１は、図１及び図２に示すように、建物３０の外周を覆うように設けられるとともに、建物３０の外面３１に固定可能、かつ、建物３０の外面３１に沿って下降又は上昇の少なくとも一方（本実施の形態では下降）が可能な養生支持部材としての養生足場２と、養生足場２を建物３０の外面３１に沿って下降又は上昇の少なくとも一方（本実施の形態では下降）をさせる駆動機構１０と、養生足場２を下降又は上昇の少なくとも一方（本実施の形態では下降）を可能に支持する支持機構２５と、養生足場２の外面及び下面を覆うように設けられる養生シート９とから構成されている。
【００２７】
養生足場２は、横方向に並ぶように分割された複数の直方体状のユニット３を連結して構成したものであって、例えば、建物３０が直方体状の場合には、建物３０の外面３１（前面、後面、及び両側面）に対向するように養生足場２を設置することにより、建物３０の所定階層の外周を覆うことができる。
【００２８】
本実施の形態においては、図２に示すように、養生足場２は、横方向に５つのユニット３に分割され、中央に設けられる直方体状の従動トラス構造体４と、従動トラス構造体４の両外側にそれぞれ設けられる２つの直方体状の駆動トラス構造体５、６と、各駆動トラス構造体５、６の外側にそれぞれ設けられる２つの直方体状の端部トラス構造体７、８とを連結して構成されている。
【００２９】
各トラス構造体４〜８は、独立して建物３０の外面３１に固定可能、かつ、建物３０の外面３１に沿って下降又は上昇の少なくとも一方（本実施の形態では下降）が可能に構成されている。各トラス構造体４〜８は、建枠、交叉筋違、布板等を組み合わせることにより、所定の大きさの略直方体状に形成されている。
【００３０】
本実施の形態においては、駆動トラス構造体５、６と従動トラス構造体４とは同一大きさの直方体状に形成され、端部トラス構造体７、８は駆動トラス構造体５、６及び従動トラス構造体４よりも小さい直方体状に形成されている。なお、本実施の形態においては、建物３０の３階層の外周を覆うように、各トラス構造体４〜８の高さを設定している。
【００３１】
なお、養生足場２は、５つのユニット３に限らず、４つ以下のユニット、又は６つ以上のユニットに分割して構成してもよい。
【００３２】
駆動機構１０は、図１に示すように、駆動トラス構造体５、６の両側面５ａ、５ｂ、６ａ、６ｂにそれぞれ設けられる駆動源１１と、駆動源１１の駆動力を従動トラス構造体４及び端部トラス構造体７、８に伝達させる動力伝達手段１６と、駆動トラス構造体５、６、従動トラス構造体４、及び端部トラス構造体７、８を下降又は上昇の少なくとも一方（本実施の形態では下降）が可能に支持する支持機構２５と、駆動源１１の駆動を制御する制御手段（図示せず）とから構成されている。
【００３３】
駆動源１１は、ブレーキ付モータ（以下、モータ１１という。）であって、駆動トラス構造体５、６の両側面の奥行方向の中央部の下寄りの部分に支持フレーム１３を介してそれぞれ取り付けられている。
【００３４】
支持フレーム１３は、図３〜図６に示すように、複数の鋼材を組み合わせて構成したものであって、駆動トラス構造体５、６の側面５ａ、５ｂ、６ａ、６ｂ側に固定される鉛直方向を向く縦パネル１４と、縦パネル１４の裏面側に一体に設けられる水平方向を向く横パネル１５とから構成されている。
【００３５】
モータ１１は、支持フレーム１３の横パネル１５の下面と縦パネル１４の裏面との間に取り付けられ、回転軸１２が縦パネル１４の表面から外方に所定の長さ突出するように、支持フレーム１３への取り付け位置が調整されている。
【００３６】
なお、モータ１１を、駆動トラス構造体５、６の両側面５ａ、５ｂ、６ａ、６ｂの奥行方向の中央部の上寄りの部分にもそれぞれ設け、各駆動トラス構造体５、６にそれぞれ４つのモータ１１を設けるように構成してもよい。
【００３７】
動力伝達手段１６は、図１、図４及び図５に示すように、モータ１１の回転軸１２に取り付けられるモータピニオンギア１７と、従動トラス構造体４の両側面、４ａ、４ｂ及び端部トラス構造体７、８の一方の側面７ａ、８ａの奥行方向の中央部に、鉛直方向を向くように、かつ、従動トラス構造体４及び端部トラス構造体７、８の全高に沿うように設けられるとともに、モータピニオンギア１７と相互に噛合するラックギア１８とから構成されている。
【００３８】
モータ１１を作動させて、回転軸１２と一体にモータピニオンギア１７を回転させることにより、モータピニオンギア１７をラックギア１８に沿って走行させることができ、駆動トラス構造体５、６を従動トラス構造体４及び端部トラス構造体７、８に対して相対的に下降又は上昇の少なくとも一方（本実施の形態では下降）をさせることができる。
【００３９】
図３、図５、及び図６に示すように、支持フレーム１３の縦パネル１４の裏面側の横パネル１５よりも上方の部分には、ガバナー装置２０が取り付けられ、このガバナー装置２０によって駆動トラス構造体５、６の従動トラス構造体４及び端部トラス構造体７、８に対する相対的な下降速度を調整するようになっている。
【００４０】
ガバナー装置２０は、縦パネル１４の裏面側に固定されるガバナー本体２１と、ガバナー本体２１の回転軸２２に取り付けられるガバナーピニオンギア２３とから構成され、ガバナーピニオンギア２３がラックギア１８と相互に噛合するように構成されている。
【００４１】
モータ１１及びガバナー装置２０は、制御手段によって駆動が制御されるようになっている。制御手段によってモータ１１及びガバナー装置２０の駆動を制御することにより、駆動トラス構造体５、６、従動トラス構造体４、及び端部トラス構造体７、８を昇降させることができるとともに、それらを建物３０の上下方向の所定の位置に停止させることができる。
【００４２】
図４、及び図５に示すように、支持フレーム１３の縦パネル１４には、モータ１１のモータピニオンギア１７及びガバナー装置２０のガバナーピニオンギア２３と対向するようにアジャストローラ２４が回転可能にそれぞれ設けられ、このアジャストローラ２４とモータピニオンギア１７及びガバナーピニオンギア２３との間でラックギア１８を挟持することにより、モータピニオンギア１７及びガバナーピニオンギア２３がラックギア１８から脱落するのが防止される。
【００４３】
アジャストローラ２４は、水平方向へアジャスト可能に構成され、アジャストローラ２４を水平方向へアジャストさせることにより、モータピニオンギア１７及びガバナーピニオンギア２３とラックギア１８との噛合強さを調整することができる。
【００４４】
支持機構２５は、図１〜図５に示すように、従動トラス構造体４の両側面４ａ、４ｂ、及び端部トラス構造体７、８の一方の側面７ａ、８ａの奥行方向の両端部に、従動トラス構造体４及び端部トラス構造体７、８の全高に沿うように設けられる溝型鋼からなる２本のガイドレール２６、２６と、各支持フレーム１３の縦パネル１４の表面側の上下の四隅に回転可能にそれぞれ設けられる４つのガイドローラ２７と、各支持フレーム１３の縦パネル１４の表面側の上下の四隅（ガイドローラ２７よりも内側の部分）に回転可能にそれぞれ設けられる４つのサイドローラ２８とから構成されている。
【００４５】
支持機構２５の各ガイドローラ２７を従動トラス構造体４の両側面４ａ、４ｂのガイドレール２６の溝２６ａ内、又は端部トラス構造体７、８の一方の側面７ａ、８ａのガイドレール２６の溝２６ａ内（内面側）に転動可能に装着し、各サイドローラ２８を上記のガイドレール２６の外面２６ｂ側に転動可能に装着することにより、駆動トラス構造体５、６を従動トラス構造４体及び端部トラス構造体７、８に対して相対的に下降又は上昇の少なくとも一方（本実施の形態では下降）が可能に支持することができる。
【００４６】
上記のように構成した本実施の形態の養生装置１は、養生足場２の端部トラス構造体７、８及び従動トラス構造体４を建物３０の外面３１に固定し、駆動トラス構造体５、６を建物３０の外面３１から切り離した状態とし、この状態で駆動トラス構造体５、６の各モータ１１を回転させて、各モータ１１のモータピニオンギア１７をラックギア１８に沿って走行させることにより、駆動トラス構造体５、６を下降又は上昇の少なくとも一方（本実施の形態では下降）をさせることができる。
【００４７】
また、養生足場２の駆動トラス構造体５、６を建物３０の外面３１に固定し、端部トラス構造体７、８及び従動トラス構造体４を建物３０の外面３１から切り離した状態とし、この状態で駆動トラス構造体５、６の各モータ１１を回転させて、各モータ１１のモータピニオンギア１７をラックギア１８に沿って走行させることにより、端部トラス構造体７、８及び従動トラス構造体４を下降又は上昇の少なくとも一方（本実施の形態では下降）をさせることができる。
【００４８】
次に、上記のように構成した養生装置１を用いた養生方法の一実施の形態を図７〜図１２を参照しながら説明する。
例えば、建物３０の解体作業を行う場合、地上において、建物３０の外面３１（前面、後面、及び両側面）に対応するように養生足場２を配置し、建物３０の屋上階に設置したクローラクレーン等のクレーンを用いて養生足場２を吊り上げ、図７に示すように、養生足場２の各トラス構造体４〜８をＨ型鋼等からなる支持部材２９を介して建物３０の外面３１の柱、梁等に固定し、建物３０の最上階から下方の数階層までの外周を覆うように養生足場２を設置し、養生足場２の外面及び下面を覆うように養生シート９を張り付ける。
なお、図１においては、建物３０の前面のみを示している。また、建物３０、及び支持部材２９については図２を参照し、図示を省略するものとする。
【００４９】
そして、圧砕機等の解体用重機を用いて、建物３０の屋上階から下層階に向けて順次解体作業を行い、最上階の解体作業が完了した後に、図８に示すように、養生足場２の第１の駆動トラス構造体５の支持部材３９を建物３０から切り離して、第１の駆動トラス構造体５を下降可能な状態とする。そして、この状態で第１の駆動トラス構造体５の各モータ１１を作動させて、各モータ１１のモータピニオンギア１７を第１の端部トラス構造体７のラックギア１８、及び従動トラス構造体４の左側のラックギア１８に沿って走行させることにより、第１の駆動トラス構造体５を１階層分だけ下降させ、第１の駆動トラス構造体５を支持部材２９によって建物３０に固定する。
【００５０】
次に、図９に示すように、第１の端部トラス構造体７の支持部材２９を建物３０から切り離して、第１の端部トラス構造体７を下降可能な状態とする。そして、この状態で第１の駆動トラス構造体５の各モータ１１を作動させて、各モータ１１のモータピニオンギア１７を第１の端部トラス構造体７のラックギア１８、及び従動トラス構造体４の左側のラックギア１８に沿って走行させることにより、第１の端部トラス構造体７を第１の駆動トラス構造体５の位置まで下降させ、第１の端部トラス構造体７を支持部材２９によって建物３０に固定する。
【００５１】
次に、図１０に示すように、第２の駆動トラス構造体６の支持部材２９を建物３０から切り離して、第２の駆動トラス構造体６を下降可能な状態とする。そして、この状態で第２の駆動トラス構造体６の各モータ１１を作動させて、各モータ１１のモータピニオンギア１７を第２の端部トラス構造体８のラックギア１８、及び従動トラス構造体４の右側のラックギア１８に沿って走行させることにより、第２の駆動トラス構造体６を第１の駆動トラス構造体５の位置まで下降させ、第２の駆動トラス構造体６を支持部材２９によって建物３０に固定する。
【００５２】
次に、図１１に示すように、第２の端部トラス構造体８の支持部材２９を建物３０から切り離して、第２の端部トラス構造体８を下降可能な状態とする。そして、この状態で第２の駆動トラス構造体８の右側のモータ１１を作動させて、モータ１１のモータピニオンギア１７を第２の端部トラス構造体８のラックギア１８に沿って走行させることにより、第２の端部トラス構造体８を第２の駆動トラス構造体６の位置まで下降させ、第２の端部トラス構造体８を支持部材２９によって建物３０に固定する。
【００５３】
次に、図１２に示すように、従動トラス構造体４の支持部材２９を建物３０から切り離して、従動トラス構造体４を下降可能な状態とする。そして、この状態で第１の駆動トラス構造体５の右側のモータ１１及び第２の駆動トラス構造体６の左側のモータ２２を作動させて、両モータ２２のモータピニオンギア２７を第１の駆動トラス構造体５の右側のラックギア２８、及び第２の駆動トラス構造体６の左側のラックギア２８に沿って走行させることにより、従動トラス構造体４を第１の駆動トラス構造体５及び第２の駆動トラス構造体６の位置まで下降させ、従動トラス構造体４を支持部材２９によって建物３０に固定する。
【００５４】
このようにして、建物３０の屋上階から下方に向けて１階層分の解体作業が終了した毎に、養生足場２の各トラス構造体４〜８を１階層分ずつ順次下降させることを繰り返し行うことにより、建物３０の全ての階層の解体作業を養生装置１の養生足場２及び養生シート９で覆った状態で行うことができる。
【００５５】
上記のように構成した本実施の形態の養生装置１及び養生方法にあっては、養生足場２の各ユニット３を下降可能に構成したので、固定式の養生装置のように、地上から建物３０の施工階までの全周を覆うように養生装置１を設置する必要はなく、養生が必要な階層のみの外周を覆うように養生装置１を設置すればよいことになる。
【００５６】
従って、養生装置１の養生足場２及び養生シート９の使用量を削減することができ、設備費を安く抑えることができる。
【００５７】
また、地上から建物３０の施工階までの全周を覆うように養生装置１を設置する必要がないので、建物３０の下部の工事や、建物３０の下部のスペースを利用した各種の作業を行うことができる。
【００５８】
また、建物３０の解体作業の進捗に追従して、養生足場２の各トラス構造体４〜８をモータ１１の作動によって機械的に下降させることにより、養生足場２を建物３０の下層階に順次盛り替えすることができるので、養生足場２を作業者が解体、組み立てして盛り替える必要はなく、養生足場２の盛り替えに要する時間と手間を大幅に削減することができる。
【００５９】
また、養生足場２を下層階に盛り替えする際に、クローラクレーン等のクレーンを用いる必要がないので、クローラクレーン等のクレーンを建物３０の他の工事に使用することができるので、建物３０の解体作業を効率よく行うことができる。
【００６０】
また、養生足場２の盛り替えにクローラクレーン等のクレーンを用いる必要がないので、養生足場２の足場ユニット３の形状、重量を建物３０の形状等に応じて自由に設定することができる。
【００６１】
また、養生足場２の足場ユニット３の各トラス構造体４〜８を下降させる駆動源１１、駆動源１１の駆動力を伝達させる動力伝達手段１６、各トラス構造体４〜８を昇降可能に支持する支持機構２５は、各トラス構造体４〜８の側面４ａ、４ｂ、５ａ、５ｂ、６ａ、６ｂ、７ａ、８ａに設けられているので、養生足場２の各足場ユニット３と建物３０の外面３１との間隔を狭く設定することができ、養生足場２を建物３０の解体の作業足場としても有効に利用することができる。
【００６２】
なお、上記の説明においては、駆動トラス構造体５、６の両側面５ａ、５ｂ、６ａ、６ｂにモータ１１を設け、モータ１１に対向する従動トラス構造体４の側面４ａ、４ｂ、及び端部トラス構造体７、８の側面７ａ、８ａにラックギア１８を設けたが、従動トラス構造体４の側面４ａ、４ｂ、及び端部トラス構造体７、８の側面７ａ、８ａにモータ１１を設け、モータ１１に対向する駆動トラス構造体５、６の側面５ａ、５ｂ、６ａ、６ｂにラックギア１８を設けてもよい。
【００６３】
また、上記の説明においては、従動トラス構造体４の側面４ａ、４ｂ、及び端部トラス構造体７、８の側面７ａ、８ａにガイドレール２６を設け、駆動トラス構造体５、６の側面５ａ、５ｂ、６ａ、６ｂにガイドローラ２７を設けたが、駆動トラス構造体５、６の側面５ａ、５ｂ、６ａ、６ｂにガイドレール２６を設け、従動トラス構造体４の側面４ａ、４ｂ、及び端部トラス構造体７、８の側面７ａ、８ａにガイドローラ２７を設けてもよい。
【００６４】
また、上記の説明においては、養生足場２の各トラス構造体４〜８を下降させるように構成したが、建物３０の工事の種類に応じて、養生足２の各トラス構造体４〜８を上昇させてもよいし、下降と上昇の両方をさせてもよい。
【符号の説明】
【００６５】
１  養生装置
２  養生支持部材（養生足場）
３  ユニット
４  従動トラス構造体
４ａ、４ｂ  側面
５  第１の駆動トラス構造体
５ａ、５ｂ  側面
６  第２の駆動トラス構造体
６ａ、６ｂ  側面
７  第１の端部トラス構造体
７ａ  一方の側面
８  第２の端部トラス構造体
８ａ  一方の側面
９  養生シート
１０  駆動機構
１１  駆動源（モータ）
１２  回転軸
１３  支持フレーム
１４  縦パネル
１５  横パネル
１６  動力伝達手段
１７  モータピニオンギア
１８  ラックギア
２０  ガバナー装置
２１  ガバナー本体
２２  回転軸
２３  ガバナーピニオンギア
２４  アジャストローラ
２５  支持機構
２６  ガイドレール
２６ａ  溝
２６ｂ  外面
２７  ガイドローラ
２８  サイドローラ
２９  支持部材
３０  建物
３１  外面
【図１】
0006055616.tif 000002
【図２】
0006055616.tif 000003
【図３】
0006055616.tif 000004
【図４】
0006055616.tif 000005
【図５】
0006055616.tif 000006
【図６】
0006055616.tif 000007
【図７】
0006055616.tif 000008
【図８】
0006055616.tif 000009
【図９】
0006055616.tif 000010
【図１０】
0006055616.tif 000011
【図１１】
0006055616.tif 000012
【図１２】
0006055616.tif 000013